(57)【要約】【課題】横ビームの取替え作業を効率よく実施することができるインナースリーブを用いた防護柵における支柱と横ビームとの取付構造を提供する。【解決手段】間隔をあけて設置面Ｇに立設された支柱１の前面に短筒状の取付部材３が固定され、該取付部材３に筒状のインナースリーブ４が挿入され、該インナースリーブ４の左右両端部が横ビーム５の端部に挿入されて、前記横ビーム５が支柱１に固定されるようになされた防護柵における支柱１と横ビーム５との取付構造であって、前記インナースリーブ４に筒状のスペーサー６が外嵌されるとともに、前記スペーサー６に前記取付部材３が外嵌され、かつ、前記取付部材３は、その内径が前記横ビーム５の外径より大きくなされて、前記スペーサー６から横ビーム５の端部上に移動可能となされ、また、前記スペーサー６は、径方向に分割可能な複数の分割体から形成されて、前記インナースリーブ６に対して取外し可能とする。【選択図】        図４
2014139376.tif 000002
【特許請求の範囲】
【請求項１】
間隔をあけて設置面に立設された支柱の前面に短筒状の取付部材が固定され、該取付部材に筒状のインナースリーブが挿入され、該インナースリーブの左右両端部が横ビームの端部に挿入されて、前記横ビームが支柱に固定されるようになされた防護柵における支柱と横ビームとの取付構造であって、
前記インナースリーブに筒状のスペーサーが外嵌されるとともに、前記スペーサーに前記取付部材が外嵌され、かつ、前記取付部材は、その内径が前記横ビームの外径より大きくなされて、前記スペーサーから横ビームの端部上に移動可能となされ、また、前記スペーサーは、径方向に分割可能な複数の分割体から形成されて、前記インナースリーブに対して取外し可能となされていることを特徴とする防護柵における支柱と横ビームとの取付構造。
【請求項２】
前記スペーサーの外側面と前記横ビームの外側面とが面一となされていることを特徴とする請求項１に記載の防護柵における支柱と横ビームとの取付構造。
【発明の詳細な説明】
【技術分野】
【０００１】
本発明は、道路等に設置される防護柵において、インナースリーブを用いてパネル柵やビーム柵等の横ビームを連結するとともに、該連結箇所を支柱に取付けるようになされた防護柵における支柱と横ビームとの取付構造に関するものである。
【背景技術】
【０００２】
インナースリーブを用いた支柱と横ビームとの取付構造については、例えば、支柱の前面にビーム長さ方向から見て筒形断面形状のブラケットを固定し、このブラケット内に筒状のインナースリーブを挿入しかつブラケット下面側から挿入したインナースリーブ固定用のボルトをインナースリーブ側のネジ孔にねじ込んでインナースリーブをブラケットに固定し、このインナースリーブの長さ方向両側部に筒状のビームパイプの端部を被せかつビームパイプ固定用ボルトを上側から下側に貫通させナットで締付けてビームパイプをインナースリーブに固定してなるビームパイプ継手構造を備えた防護柵が開示されている（例えば、特許文献１）。
【先行技術文献】
【特許文献】
【０００３】
【特許文献１】特開２００７−１０７２８９号公報
【発明の開示】
【発明が解決しようとする課題】
【０００４】
前記従来のインナースリーブを用いた防護柵において、例えば車両等がビームパイプに衝突し、曲がったビームパイプを支柱から外し取替える場合には、インナースリーブ固定用のボルトを外しインナースリーブをブラケットから外した後、インナースリーブを一方のビームパイプの端部内に移動して他方のビームパイプの端部内からインナースリーブを抜き出し、他方のビームパイプを取り外すのであるが、インナースリーブを一方のビームパイプの端部内へ移動するのは、非常に狭いインナースリーブとブラケットとの隙間や、インナースリーブ固定用のボルト孔から工具等を差込み、インナースリーブを移動させなければならず、施工時のビームパイプの着脱作業はかなり効率が劣るものであった。
【０００５】
本発明は、前記の如き課題を解消し、横ビームの取替え作業を効率よく実施することができるインナースリーブを用いた防護柵における支柱と横ビームとの取付構造を提供せんとするものである。
【課題を解決するための手段】
【０００６】
上記目的を達成するために、本発明は次のような構成としている。
すなわち、本発明に係る防護柵における支柱と横ビームとの取付構造は、間隔をあけて設置面に立設された支柱の前面に短筒状の取付部材が固定され、該取付部材に筒状のインナースリーブが挿入され、該インナースリーブの左右両端部が横ビームの端部に挿入されて、前記横ビームが支柱に固定されるようになされた防護柵における支柱と横ビームとの取付構造であって、
前記インナースリーブに筒状のスペーサーが外嵌されるとともに、前記スペーサーに前記取付部材が外嵌され、かつ、前記取付部材は、その内径が前記横ビームの外径より大きくなされて、前記スペーサーから横ビームの端部上に移動可能となされ、また、前記スペーサーは、径方向に分割可能な複数の分割体から形成されて、前記インナースリーブに対して取外し可能となされていることを特徴とするものである。
【０００７】
また本発明に係る防護柵における支柱と横ビームとの取付構造は、前記スペーサーの外側面と前記横ビームの外側面とが面一となされていることを特徴とするものである。
【発明の効果】
【０００８】
本発明に係る防護柵における支柱と横ビームとの取付構造によれば、前記インナースリーブに筒状のスペーサーが外嵌されるとともに、前記スペーサーに前記取付部材が外嵌され、かつ、前記取付部材は、その内径が前記横ビームの外径より大きくなされて、前記スペーサーから横ビームの端部上に移動可能となされ、また、前記スペーサーは、径方向に分割可能な複数の分割体から形成されて、前記インナースリーブに対して取外し可能となされているので、インナースリーブによって連結されたいずれか一方の横ビームを取替える場合、取付部材を他方の横ビームの端部上に移動した後、分割体からなるスペーサーをインナースリーブから取外し、次いで、露出したインナースリーブを他方の横ビームの端部内に容易に移動させることにより、当該横ビームを効率よく着脱することができる。
【０００９】
また本発明に係る防護柵における支柱と横ビームとの取付構造によれば、前記スペーサーの外側面と前記横ビームの外側面とが面一となされているので、取付部材をスムーズに移動させることができると共に、移動させた取付部材と横ビームの端部とのガタツキも殆どなくすることができる。
【図面の簡単な説明】
【００１０】
【図１】本発明に係る支柱と横ビームとの取付構造を備えた防護柵を示す、（イ）は正面図、（ロ）は側面図である。
【図２】図１の要部を示す拡大正面図である。
【図３】本発明に係る支柱と横ビームとの取付構造を備えた防護柵において、横ビームを取外す作業を説明するための正面視の説明図である。
【図４】本発明に係る支柱と横ビームとの取付構造を備えた防護柵において、横ビームを取外す作業を説明するための正面視の説明図である。
【図５】本発明に係る支柱と横ビームとの取付構造を備えた防護柵において、横ビームを取外す作業を説明するための正面視の説明図である。
【図６】本発明に係る支柱と横ビームとの取付構造に用いられるスペーサーの、（イ）は正面図、（ロ）は平面図、（ハ）は側面図である。
【発明を実施するための形態】
【００１１】
次に、本発明を実施するための形態について図面を参照し、具体的に説明する。
図において、１は円筒状の支柱であり、その下部は地中に埋設され適宜間隔をあけて複数本の支柱１が設置面Ｇに立設されている。
【００１２】
２は支柱１の上端に被せられた下部が略円筒形状となされた支柱キャップであり、上端は前面側から背面側に向けて片流れ状に下方に傾斜する平坦な傾斜面２１となされて、該支柱キャップ２の上部は側面視略三角形状となされている。また、その下方には凹溝２２が全周に亘り形成され、該凹溝２２には合成樹脂に球形のガラスビーズが間隔をおいて配置された帯状の反射体Ｈが巻回されている。また、凹溝２２の下部には支柱１に内挿される挿入部２３が突設されて、該挿入部２３が支柱１上端に挿入されると共に、前記支柱１と支柱キャップ２の挿入部２３とを、支柱１の前面側と背面側とから貫通する２本の支柱キャップ固定用ボルトＢ１で支柱１に固定されている。
【００１３】
３は支柱１の上端に被せられた支柱キャップ２の前面に固定された短筒状の取付部材であり、支柱キャップ２の前面に当接される縦長の当接板部３１と、該当接板部３１の両側端から前方斜め上に向けて突設された縦板部３２と、該縦板部３２間に横方向に差し渡されて、後述するインナースリーブ４とスペーサー６とが内挿される短筒状部３３とを備え、前記当接板部３１の下部には、前記取付部材３を前記支柱キャップ２の前面に取付ける際に用いられる取付部材固定用孔３４が設けられている。また、短筒状部３３の内径は後述する横ビーム５の外径より大径となされている。
【００１４】
４はその中央が前記取付部材３に、その左右が後述する横ビーム５の端部に挿入される円筒状のインナースリーブであり、その外径は横ビーム５の内径よりも小径となされている。
【００１５】
５はその端部に前記インナースリーブ４の端部が挿入されて、支柱１の側面と支柱キャップ２の前面とに、上下２段に取付けられている円筒状の横ビームであり、隣り合う横ビーム５同士が前記インナースリーブ４を介して連結されている。
【００１６】
６は径方向に分割された２個の半円筒状の分割体からなるスペーサーであり、該スペーサー６を上下方向に２個相対向させて前記インナースリーブ４に外嵌させることができるように、相対向させた２個の分割体により形成されるスペーサー６の内径は、前記インナースリーブ４の外径より大径となされている。そして前記インナースリーブ４の外側に、前記スペーサー６を外嵌させ、その外嵌させた前記スペーサー６の外側に、更に前記取付部材３を外嵌させるとともに、該取付部材３が前記支柱キャップ２の前面に取付けられ、もって上段の横ビーム５が支柱１に取付けられている。また前記スペーサー６には、その頂部中央に通孔６１が設けられており、後述する様に、スペーサー固定用ボルトＢ２が前記通孔６１に貫通されるようになされている。
【００１７】
７は下段の横ビーム５を支柱１の側面に取付けるための取付金具であり、支柱１の側面に取付けられる縦壁部７１と、該縦壁部７１の上下端から水平に突設され、後述する前記インナースリーブ４及びスペーサー６とが内挿され保持される保持部７２とを備えている。そして上段の横ビーム５と同様、左右の横ビーム５の端部にインナースリーブ４が挿入され、該インナースリーブ４の外側に、相対向させた２個の前記分割体からなるスペーサー６を外嵌させ、その外嵌させた前記スペーサー６の外側に、更に前記取付金具７を外嵌させ、当該取付金具７を介して下段の横ビーム５が前記支柱１の側面に取付けられるようになされている。したがって、前記取付金具７の内径は横ビーム５の外径より大径となされている。このようにして、前記支柱１に横ビーム５が上下２段に取付けられて、防護柵Ｆが形成されている。
【００１８】
次いで、上段の横ビーム５が支柱１に取付けられている構造を述べると、前記取付部材５は、内挿されたインナースリーブ４とスペーサー６とをその中央の位置で貫通した１本のスペーサー固定用ボルトＢ２とナットで固定され、また、前記横ビーム５は、内挿されたインナースリーブ４をその端部の位置で貫通した２本の横ビーム取付用ボルトＢ３とナットで固定されている。
【００１９】
そして、支柱１上端に支柱キャップ固定用ボルトＢ１で取付けられた支柱キャップ２の前面にはねじ孔２４が設けられ、取付部材３の下部に設けられた取付部材固定用孔３４を貫通して前記ねじ孔２４に取付部材固定用ボルトＢ４が螺入されて、取付部材３が支柱キャップ２の前面に取付けられている。
【００２０】
前記取付部材３は、その短筒状部３３の内径が前記横ビーム５の外径より大きくなされて、取付部材３を外嵌させた前記スペーサー６から、インナースリーブ４で連結された横ビーム５のいずれか一方の横ビーム５の端部上に移動可能となされ、また、前記スペーサー６は、径方向に分割可能な２個の分割体から形成されて、前記インナースリーブ４に対して径方向に取外し可能となされている。そして、前記スペーサー６の外側面と前記横ビーム５の外側面とが面一となされている。なお、前記スペーサー６は、径方向に分割可能であれば、２個に限定されず、３個以上の複数の分割体から形成されていてもよい。
【００２１】
また下段の横ビーム５が支柱１に取付けられている構造については、取付部材３と取付金具７とが相違するのみであり、その他の構成においては、上段の横ビーム５が支柱１に取付けられている構造と同様であるので、説明は省略する。
【００２２】
なお本実施形態においては、横ビーム５は２段に設けられているが、これに限定されるものではなく、適宜本数の横ビーム５が設けられればよく、また横ビーム５と所謂縦格子パネルとが並設されてもよく、また、スペーサー６は円筒体を長手方向に２等分割した２個の半円筒形状の分割体から形成されており、さらに、取付部材３の短筒状部３３、インナースリーブ４、横ビーム５、スペーサー６は断面円形になされているが、特にこれに限定されるものではなく、楕円形や矩形などであってもよく、本発明の要旨を逸脱しない範囲において種々の変更を施した形態での実施が可能である。
【００２３】
また前記取付部材３は、その短筒状部３３の内径が前記横ビーム５の外径より大きくなされて、取付部材３を外嵌させた前記スペーサー６から、いずれか一方の横ビーム５の端部上に移動可能となされてさえいればよいが、前記スペーサー６の外側面と前記横ビーム５の外側面とが面一となされていると、横ビーム５と取付部材３との段差が少なくなり、取付部材３への引っ掛かりを防止できるとともに、外観上も好ましい。
【００２４】
次に、上段の横ビーム５を着脱する手順について、図２〜５を用いて説明する。下段の横ビーム５を着脱する手順については、取付部材３と取付金具７とが相違するのみであるので、説明は省略する。
【００２５】
まず、図２に示す設置された状態において、前記インナースリーブ４に外嵌されたスペーサー６の外側面と前記横ビーム４の外側面とが面一となされているとともに、前記取付部材３はその短筒状部３３の内径が前記横ビーム５の外径より大きくなされているので、スペーサー固定用ボルトＢ２を１本と、左右の横ビーム取付用ボルトＢ３を２本ずつと、取付部材固定用ボルトＢ４とを取外すと、図３に示すように、取付部材３を、例えば左側の横ビーム５の端部上に移動させることができる。
【００２６】
次いで、前述の如く取付部材３を移動した後、図４に示すように、外嵌されていた取付部材３が移動されることにより露出した相対向する２個の分割体からなるスペーサー６を上下方向に分割して取外す。
【００２７】
そして、スペーサー６を取外すと、インナースリーブ４が露出した状態となるので、そのインナースリーブ４を左側の横ビーム５の方に移動させ、右側の横ビーム５の端部から抜き出して、右側の横ビーム５を取外す。そして、新規の横ビームを上述とは逆の手順で作業を行えば、新規の横ビームの取付けが完了する。
【００２８】
このように、本発明に係る実施形態においては、インナースリーブ４の大部分を露出した状態となすことができるため、インナースリーブ４を取替えない方の横ビーム５側に簡単に移動させることができ、当該横ビーム５の取替え作業を効率よく実施することができる。
【００２９】
なお上述のように、取付部材３を支柱キャップ２の前面に取付けている取付部材固定用ボルトＢ４を取外すことにより、取付部材３を左右いずれかの横ビーム５の端部上に移動可能な状態にしてもよいし、取付部材固定用ボルトＢ４は取外さず、支柱１と支柱キャップ２の挿入部２３とを固定している支柱キャップ固定用ボルトＢ１とスペーサー固定用ボルトＢ２と横ビーム取付用ボルトＢ３とを取外した後、支柱キャップ２の挿入部２３の下端縁が露出するまで、取付部材固定用ボルトＢ４により固定された状態の支柱キャップ２と取付部材３とを上方に持ち上げて、固定された状態の支柱キャップ２と取付部材３とを左右いずれかの横ビーム５の端部上に移動可能な状態にするようにしてもよい。また、スペーサー固定用ボルトＢ２と横ビーム取付用ボルトＢ３については、取付部材固定用ボルトＢ４により固定された状態の支柱キャップ２と取付部材３とを、支柱キャップ２の挿入部２３の下端縁が露出するまで持ち上げた後、取外すようにしてもよい。
【符号の説明】
【００３０】
１      支柱
２      支柱キャップ
２１    傾斜面
２２    凹溝
２３    挿入部
２４    ねじ孔
３      取付部材
３１    取付部材固定用孔
４      インナースリーブ
５      横ビーム
６      スペーサー
７      取付金具
７１    縦壁部
７２    保持部
Ｇ      設置面
Ｈ      反射体
Ｆ      防護柵
Ｂ１    支柱キャップ固定用ボルト
Ｂ２    スペーサー固定用ボルト
Ｂ３    横ビーム取付用ボルト
Ｂ４    取付部材固定用ボルト
【図１】
2014139376.tif 000003
【図２】
2014139376.tif 000004
【図３】
2014139376.tif 000005
【図４】
2014139376.tif 000006
【図５】
2014139376.tif 000007
【図６】
2014139376.tif 000008